(57)【要約】【課題】データを一度だけ書込可能なワンタイムメモリに必要な撮影画像のみを記録することができる撮影装置を提供することを目的とする。【解決手段】被写体を撮影して撮影画像を表す撮影画像データを生成する撮影部と、データを一度だけ書込可能なワンタイムメモリとデータの上書きが可能なリユーザブルメモリのいずれかの記録媒体の装填が可能であって、撮影部で生成された撮影画像データを装填された記録媒体に記録するデータ記録部と、データ記録部に装填されている記録媒体が、ワンタイムメモリであるかリユーザブルメモリであるかを判定する判定部と、判定部においてデータ記録部に装填されている記録媒体がワンタイムメモリであると判定された場合には、撮影部で生成された撮影画像データが記録媒体に消去不能に記録されることをユーザに通知する通知部とを備えた。【選択図】        図４
2006148433.tif 000002
【特許請求の範囲】
【請求項１】
被写体を撮影して撮影画像を表す撮影画像データを生成する撮影部と、
データを一度だけ書込可能な第１の記録媒体とデータの上書きが可能な第２の記録媒体のいずれの記録媒体の装填も自在であって、前記撮影部で生成された撮影画像データを装填された記録媒体に記録するデータ記録部と、
前記データ記録部に装填されている記録媒体が、第１の記録媒体であるか第２の記録媒体であるかを判定する判定部と、
前記判定部において前記データ記録部に装填されている記録媒体が第１の記録媒体であると判定された場合に、前記撮影部で生成された撮影画像データが該記録媒体に消去不能に記録されることをユーザに通知する通知部とを備えたことを特徴とする撮影装置。
【請求項２】
画像を表示する画像表示部を備え、
前記通知部は、前記判定部において前記データ記録部に装填されている記録媒体が第１の記録媒体であると判定された場合に、前記画像表示部に第１の記録媒体が表現されたアイコンを表示させることにより、前記撮影画像データが前記記録媒体に消去不能に記録されることを通知するものであることを特徴とする請求項１記載の撮影装置。
【請求項３】
前記記録媒体の空き領域に記録可能な、前記撮影画像データが表わす撮影画像の枚数を表示する枚数表示部を備え、
前記通知部は、前記枚数表示部に、前記記録媒体が第１の記録媒体である場合と、該記録媒体が第２の記録媒体である場合とでは、相互に異なる色で記録可能枚数を表示させることにより、前記判定部において前記データ記録部に装填されている記録媒体が第１の記録媒体であると判定された場合に前記撮影画像データが前記記録媒体に消去不能に記録されることを通知するものものであることを特徴とする請求項１記載の撮影装置。
【請求項４】
被写体を撮影して撮影画像を表す撮影画像データを生成する撮影部と、
データを一度だけ書込可能な第１の記録媒体とデータの上書きが可能な第２の記録媒体のいずれの記録媒体の装填も自在であって、前記撮影部で生成された撮影画像データを装填された記録媒体に記録するデータ記録部と、
前記データ記録部に装填されている記録媒体が、第１の記録媒体であるか第２の記録媒体であるかを判定する判定部と、
前記判定部において前記記録媒体が第１の記録媒体であると判定された場合に、前記撮影部で撮影画像データが生成されるごとに該撮影画像データを該記録媒体に記録するか否かの指示を受け付ける指示受付部と、
前記指示受付部において前記撮影画像データを前記記録媒体に記録することが指示されたか否かに応じて、前記データ記録部に、それぞれ、該撮影画像データを該記録媒体に記録させ、あるいは該撮影画像データを破棄させるデータ制御部とを備えたことを特徴とする撮影装置。
【請求項５】
ピント調整用の光学部材を光軸方向に駆動させながら被写体のコントラストを取得し、該コントラストに基づいて該光学部材の合焦状態を検出する合焦状態検出部と、
前記光学部材を、前記合焦状態検出部で合焦状態が検出されたか否かに応じて、それぞれ、該合焦状態に駆動し、あるいは所定のパンフォーカス状態に駆動するピント調整部と、
前記ピント調整部において前記光学部材が合焦状態あるいはパンフォーカス状態に駆動された状態で被写体を撮影して撮影画像を表す撮影画像データを生成する撮影部と、
データを一度だけ書込可能な第１の記録媒体とデータの上書きが可能な第２の記録媒体のいずれの記録媒体の装填も自在であって、前記撮影部で生成された撮影画像データを装填された記録媒体に記録するデータ記録部と、
前記データ記録部に装填されている記録媒体が、第１の記録媒体であるか第２の記録媒体であるかを判定する判定部と、
前記判定部において前記記録媒体が第１の記録媒体であると判定され、かつ、前記撮影部で生成された撮影画像データが前記パンフォーカス状態において生成されたものである場合に、該撮影画像データを該記録媒体に記録するか否かの指示を受け付ける指示受付部と、
前記指示受付部において前記撮影画像データを前記記録媒体に記録することが指示されたか否かに応じて、前記データ記録部に、それぞれ、該撮影画像データを該記録媒体に記録させ、あるいは該撮影画像データを破棄させる記録制御部とを備えたことを特徴とする撮影装置。
【発明の詳細な説明】
【技術分野】
【０００１】
本発明は、被写体を結像させて画像信号を生成する撮影装置に関する。
【背景技術】
【０００２】
従来、被写体を撮影して、撮影画像を表わす撮影画像データを生成するデジタルカメラが広範に用いられている。デジタル化された撮影画像が生成されることによって、パーソナルコンピュータ等を使って撮影画像に所望の画像補正処理を施し、高品質な撮影画像を取得することができるうえ、ＣＤ−ＲＯＭなどに撮影画像を記録することができるため、長期に渡って画質を維持し、嵩張らずに撮影画像を保存することができる。
【０００３】
ところで、データを記録する記録媒体は、データを一度だけ書き込むことができるワンタイムメモリと、データを何度でも上書きすることができるリユーザブルメモリとに分類することができ、これらの記録媒体は、近年、小型化および大容量化されてきている。ワンタイムメモリは、データを上書きすることができないが、製造工程が単純であり（例えば、特許文献１参照）、安価であるという利点があるため、永久的に保存したい撮影画像などを記録するための保存用メモリとして用いられることが好ましい。また、リユーザブルメモリは、ワンタイムメモリと比較して高価であるが、記録されたデータを消去することによって、何度でも再利用することができるという利点がある。これらの特徴を活かして、デジタルカメラにリユーザブルメモリを装填しておいて撮影画像を一旦リユーザブルメモリに記録し、パーソナルコンピュータなどを使って、リユーザブルメモリに記録された撮影画像のうち保存しておきたい撮影画像をワンタイムメモリに移動させた後、リユーザブルメモリに記録された撮影画像を消去することによって、データを保存するためのコストを低減することができる。
【０００４】
しかし、実際には、パーソナルコンピュータを使用しないユーザや、撮影画像をワンタイムメモリに移動する作業が面倒だというユーザが多く、撮影画像をリユーザブルメモリに記録したら、リユーザブルメモリを再利用せずに、リユーザブルメモリをそのまま保存しておくことが広く行われている。メモリをこのように使用する場合、コスト面から、リユーザブルメモリをデジタルカメラに装填するのではなく、はじめから安価なワンタイムメモリをデジタルカメラに装填しておくことが好ましいと考えられる。
【特許文献１】特開２００４−７０５８４号公報
【発明の開示】
【発明が解決しようとする課題】
【０００５】
しかし、ワンタイムメモリをデジタルカメラに装填しておくと、撮影が失敗してしまい、ワンタイムメモリに無駄な撮影画像が記録されてしまっても、その撮影画像を消去することができない。このため、保存用の記録媒体に必要な撮影画像と無駄な撮影画像とが混在して記録されてしまううえ、ラボなどにプリント注文をする際にも、必要な撮影画像を逐一指定する必要があり、注文作業が大変面倒であるという問題がある。
【０００６】
本発明は、上記事情に鑑み、データを一度だけ書込可能なワンタイムメモリに必要な撮影画像のみを記録することができる撮影装置を提供することを目的とする。
【課題を解決するための手段】
【０００７】
上記目的を達成する本発明の第１の撮影装置は、被写体を撮影して撮影画像を表す撮影画像データを生成する撮影部と、
データを一度だけ書込可能な第１の記録媒体とデータの上書きが可能な第２の記録媒体のいずれの記録媒体の装填も自在であって、撮影部で生成された撮影画像データを装填された記録媒体に記録するデータ記録部と、
データ記録部に装填されている記録媒体が、第１の記録媒体であるか第２の記録媒体であるかを判定する判定部と、
判定部においてデータ記録部に装填されている記録媒体が第１の記録媒体であると判定された場合に、撮影部で生成された撮影画像データが記録媒体に消去不能に記録されることをユーザに通知する通知部とを備えたことを特徴とする。
【０００８】
本発明の第１の撮影装置によると、データを一度だけ書込可能な第１の記録媒体が装填されている場合には、撮像部で生成された撮影画像データが第１の記録媒体に消去不能に記録されることが通知される。ユーザは、その通知によって、撮影装置に装填されている記録媒体に撮影画像データを記録すると、その撮影画像データを消去することができないことを事前に認識することができ、不必要な撮影画像データを第１の記録媒体に記録してしまう不都合を回避することができる。
【０００９】
また、本発明の第１の撮影装置は、画像を表示する画像表示部を備え、
上記通知部は、判定部においてデータ記録部に装填されている記録媒体が第１の記録媒体であると判定された場合に、画像表示部に第１の記録媒体が表現されたアイコンを表示させることにより、撮影画像データが記録媒体に消去不能に記録されることを通知するものであることが好ましい。
【００１０】
データ記録部に装填されている記録媒体が第１の記録媒体である場合に、画像表示部に第１の記録媒体が表現されたアイコンが表示されることによって、ユーザは容易に撮影画像データが第１の記録媒体に消去不能に記録されることを認識することができる。
【００１１】
また、本発明の第１の撮影装置において、記録媒体の空き領域に記録可能な、撮影画像データが表わす撮影画像の枚数を表示する枚数表示部を備え、
通知部は、枚数表示部に、記録媒体が第１の記録媒体である場合と、記録媒体が第２の記録媒体である場合とでは、相互に異なる色で記録可能枚数を表示させることにより、判定部においてデータ記録部に装填されている記録媒体が第１の記録媒体であると判定された場合に撮影画像データが記録媒体に消去不能に記録されることを通知するものものであることも好適である。
【００１２】
本発明の第１の撮影装置における好適な形態によると、ユーザは、記録媒体の空き領域にさらに記録可能な、撮影画像データが表わす撮影画像の枚数と、その記録媒体が上書き可能な記録媒体であるか否かを同時に認識することができる。
【００１３】
また、上記目的を達成する本発明の第２の撮影装置は、被写体を撮影して撮影画像を表す撮影画像データを生成する撮影部と、
データを一度だけ書込可能な第１の記録媒体とデータの上書きが可能な第２の記録媒体のいずれの記録媒体の装填も自在であって、撮影部で生成された撮影画像データを装填された記録媒体に記録するデータ記録部と、
データ記録部に装填されている記録媒体が、第１の記録媒体であるか第２の記録媒体であるかを判定する判定部と、
判定部において記録媒体が第１の記録媒体であると判定された場合に、撮影部で撮影画像データが生成されるごとに撮影画像データを記録媒体に記録するか否かの指示を受け付ける指示受付部と、
指示受付部において撮影画像データを記録媒体に記録することが指示されたか否かに応じて、データ記録部に、それぞれ、撮影画像データを記録媒体に記録させ、あるいは撮影画像データを破棄させるデータ制御部とを備えたことを特徴とする。
【００１４】
本発明の第２の撮影装置によると、データ記録部に第１の記録媒体が装填されている場合には、ユーザは、撮影画像データが生成されるたびに、その撮影画像データを第１の記録媒体に記録するか、あるいは、撮影画像データを破棄するかを指示することができ、必要な撮影画像データのみを第１の記録媒体に記録することができる。
【００１５】
また、上記目的を達成する本発明の第３の撮影装置は、ピント調整用の光学部材を光軸方向に駆動させながら被写体のコントラストを取得し、コントラストに基づいて該光学部材の合焦状態を検出する合焦状態検出部と、
光学部材を、合焦状態検出部で合焦状態が検出されたか否かに応じて、それぞれ、合焦状態に駆動し、あるいは所定のパンフォーカス状態に駆動するピント調整部と、
ピント調整部において光学部材が合焦状態あるいはパンフォーカス状態に駆動された状態で被写体を撮影して撮影画像を表す撮影画像データを生成する撮影部と、
データを一度だけ書込可能な第１の記録媒体とデータの上書きが可能な第２の記録媒体のいずれの記録媒体の装填も自在であって、前記撮影部で生成された撮影画像データを装填された記録媒体に記録するデータ記録部と、
データ記録部に装填されている記録媒体が、第１の記録媒体であるか第２の記録媒体であるかを判定する判定部と、
判定部において記録媒体が第１の記録媒体であると判定され、かつ、撮影部で生成された撮影画像データがパンフォーカス状態において生成されたものである場合に、撮影画像データを該記録媒体に記録するか否かの指示を受け付ける指示受付部と、
指示受付部において撮影画像データを記録媒体に記録することが指示されたか否かに応じて、データ記録部に、それぞれ、撮影画像データを記録媒体に記録させ、あるいは撮影画像データを破棄させる記録制御部とを備えたことを特徴とする。
【００１６】
合焦状態において生成された撮影画像データが表わす撮影画像は、ピントが合った高画質な画像であることが多い。本発明の第３の撮影装置によると、第１の記録媒体が装填され、かつ撮影画像データが合焦状態を除く駆動状態において生成された場合にのみ、その撮影画像データを記録するか否かの指示が受け付けられることによって、ユーザが指示を入力する手間を軽減して、ピントずれなどが生じた撮影画像が第１の記録媒体に記録されてしまう不都合を回避することができる。
【発明の効果】
【００１７】
本発明によれば、データを一度だけ書込可能なワンタイムメモリに、必要な撮影画像のみを記録することができる撮影装置を提供することができる。
【発明を実施するための最良の形態】
【００１８】
以下、本発明の実施形態について説明する。
【００１９】
図１および図２は、本発明の一実施形態が適用されたデジタルカメラの外観図である。
【００２０】
図１に示すデジタルカメラ１００の正面には、ファインダ対物窓１０２、閃光発光窓１０３、ＡＥ受光窓１１２、撮影レンズ１２１が備えられており、デジタルカメラ１００の上面には、電源ボタン１０１、およびシャッタボタン１１１が備えられており、デジタルカメラ１００の側面には、ＵＳＢケーブルが接続されるＵＳＢコネクタ１０４が備えられている。
【００２１】
また、図２に示すように、デジタルカメラ１００の背面には、図１にも示すファインダ対物窓１０２、画像を表示する液晶パネル１０６、液晶パネル１０６による画像表示をオン／オフするための液晶起動ボタン１０６ａ、各種機能の選択を行なう際に操作する十字キー１０７、指定内容の確定に使用されるＯＫボタン１０８、このデジタルカメラ１００に備えられている、被写体を撮影する‘撮影／記録機能’と、記録メディアに記録された撮影画像を液晶パネル１０６に表示する‘再生機能’のうちのいずれかを選択する際に操作する機能選択レバー１１４、および操作の中止を指定するキャンセルボタン１１５が示されている。本実施形態においては、十字キー１０７を使って、ズーム番号、閃光発光の有無、画像データサイズ、撮影モード（人物モード、風景モード、夜景モード）などを選択することができる。ズーム番号が小さいほど焦点距離が長くなり、望遠撮影を行なう際に選択され、逆に、ズーム番号が大きいほど焦点距離が短くなり、広角撮影を行なう際に選択される。また、本実施形態においては、撮影モードとして、近距離にある被写体にピントを合わせて撮影する‘人物モード’、撮影画角全体にピントを合わせて撮影する‘風景モード’、暗い場所で被写体を撮影する‘夜景モード’のうちのいずれかを選択可能である。
【００２２】
さらに、デジタルカメラ１００の下面には、開閉自在の蓋１１６が取り付けられており、デジタルカメラ１００内部には、装脱自在に記録メディアが装填される記録メディア装填室１１６ａと、装脱自在にバッテリが装填されるバッテリ装填室１１６ｂとが備えられており、これらは蓋１１６によって閉鎖されている。
【００２３】
図３は、デジタルカメラ１００の内部ブロック図である。
【００２４】
デジタルカメラ１００には、ズームレンズ、アイリス、フォーカスレンズなどで構成される光学部材１２１、モータドライバ１２１ａ、ＣＣＤ（Ｃｈａｒｇｅ  Ｃｏｕｐｌｅ  Ｄｅｖｉｃｅ）１２２、タイミングジェネレータ１２３、ＣＤＳ−ＡＭＰ１２４、Ａ／Ｄ（Ａｎａｌｏｇ／Ｄｅｇｉｔａｌ）変換部１２５、画像入力コントローラ１２６、画像信号処理部１２７、圧縮処理部１２８、ビデオエンコーダ１２９、ＣＰＵ１３０、ＡＦ検出部１３１、ＡＥ＆ＡＷＢ検出部１３２、ＳＤＲＡＭ１３３、ＶＲＡＭ１３４、メディアコントローラ１３５、ＳＲＡＭ１３６、各種スイッチ１３７、バックアップ電源１４２、表示装置１５０、ＵＳＢドライバ１６０、電源スイッチ１７１、シャッタスイッチ１７２、ＯＫスイッチ１７３、キャンセルスイッチ１７４、機能切替スイッチ１７５、選択ダイヤル１７６、および画像表示スイッチ１７７が具備されている。
【００２５】
まず、各スイッチ、ダイヤル、およびキーについて説明する。
【００２６】
シャッタスイッチ１７２は、シャッタを切るためのスイッチである。図１のシャッタボタン１１１が押されるとシャッタスイッチ１７２が入る。また、図１の電源ボタン１０１が押下されると、電源スイッチ１７１が入ってデジタルカメラ１００の電源がＯＮ／ＯＦＦされ、図２の液晶起動ボタン１０６ａが押されると、画像表示スイッチ１７７が入って液晶パネル１０６にメニュー画面や画像が表示／表示停止され、ＯＫボタン１０８が押されると、ＯＫスイッチ１７３が入ってユーザが指定した指定内容が確定され、キャンセルボタン１１５が押されると、キャンセルスイッチ１７４が入って指定内容が取り消される。機能切替スイッチ１７５は、機能選択レバー１１４での選択結果に従って、撮影／記録機能と再生機能とを切り替えるスイッチである。選択ダイヤル１７６は、十字キー１０７を使って選択された、ズーム番号、閃光発光の有無、画像データサイズ、撮影モードなどを設定するためのものである。ズーム番号が小さいほど、望遠撮影用に焦点距離が長く調整されて撮影が行われ、ズーム番号が大きいほど、広角撮影用に焦点距離が短く調整されて撮影が行われる。また、撮影モードとして人物モードが設定されたときには、標準のプログラム線図に従うシャッタスピードおよび絞り値で撮影が行われ、風景モードが設定されたときには、アイリス１１３が絞られて被写体深度が深い状態で撮影が行われ、夜景モードが設定されたときには、アイリス１１３が開放されて撮影が行われる。
【００２７】
これら各種スイッチで設定された設定内容は、ＣＰＵ１１９に伝えられる。
【００２８】
続いて、被写体光を受光し、撮影画像を表わす撮影画像データを取得する部分について説明する。
【００２９】
光学部材１２１には複数のレンズが配備され、それら複数のレンズのうち少なくとも１つのレンズがピント調節に大きく関与し、各レンズの相対位置が焦点距離に関与するが、本明細書では、それらの複数のレンズのうち、焦点距離の調節に係わるレンズをズームレンズと称し、同じくピントの調節に係わるレンズをフォーカスレンズと称して説明する。
【００３０】
ズームレンズは、焦点距離の調節が可能なレンズであり、フォーカスレンズは、被写体に焦点を合わせるためのレンズである。また、アイリスは、ＣＣＤ１２２で受光される被写体光の光量を調整する絞りである。ＣＰＵ１３０からの指示によって、モータドライバ１２１ａが光学部材１２１にとりつけられたモータ（図示しない）を駆動すると、フォーカスレンズやズームレンズは光軸方向に移動されてレンズの位置が調整され、アイリスは絞り径が指定された絞り値に応じた大きさに設定される。フォーカスレンズは、本発明にいう「ピント調整用の光学部材」の一例にあたり、モータとモータドライバ１２１ａとＣＰＵ１３０とを合わせたものは、本発明の撮影装置におけるピント調整部の一例に相当する。
【００３１】
ＣＣＤ１２２は、図１の撮影レンズ１０１ａを通ってきた被写体光を受光して、被写体光に基づく被写体像を、アナログ信号である被写体信号として読み取る。このデジタルカメラ１００では、シャッタボタン１１１が押されて被写体が撮影される本撮影の前にも、フォーカスレンズの合焦位置を検出する合焦検出処理や、スルー画像表示のために、解像度が低い一時的な画像データ（以下では、この解像度が低い一時的な画像データを低解像度データと称する）が生成される。ＣＣＤ１２２で生成された被写体信号は、シャッタボタン１１１が押されたときは、そのままＣＤＳ−ＡＭＰ１２４に出力され、本撮影の前には、タイミングジェネレータ１２３から発せられる信号に同期したタイミングごとに、低解像度データ用に間引かれてＣＤＳ−ＡＭＰ１２４に出力される。被写体信号を生成するために設けられた、光学部材１２１とＣＣＤ１２２とを合わせたものは、本発明の撮影装置における撮影部の一例に相当する。
【００３２】
ＣＤＳ−ＡＭＰ１２４は、被写体信号の増幅およびゲインの調整を行う。Ａ／Ｄ変換部１２５は、被写体信号をデジタルデータである画像データに変換する。前述したように、ＣＣＤ１２２では所定のタイミングごとに間引かれた被写体信号が生成されるため、Ａ／Ｄ変換部１２５でも所定のタイミングごとに低解像度データが生成され続ける。低解像度データは、画像入力コントローラ１２６を介して、ＡＦ検出部１３１やＡＥ＆ＡＷＢ検出部１３２や画像信号処理部１２７に送られる。画像信号処理部１２７に送られた低解像度データは、所定の画像処理（後述する）が施された後にビデオエンコーダ１２９に送られ、データ形式が変換された後に表示装置１５０に送られて、液晶パネル１０６にスルー画像として表示される。また、本撮影時に生成される画像データ（以下では、本撮影時に生成される画像データを撮影画像データと称する）は、画像入力コントローラ１２６を介して一旦ＳＤＲＡＭ１３３に送られる。
【００３３】
デジタルカメラ１００には、このデジタルカメラ１００内で実行されるプログラムが記憶されたり、中間バッファとして用いられる記録速度が高速なＳＤＲＡＭ１３３、各種メニュー画面用のデータや、ユーザの設定内容などが記憶されたデータ保存用のメモリであるＳＲＡＭ１３６、圧縮された画像データが記憶されるＶＲＡＭ１３４の３つのメモリが設けられている。ＶＲＡＭは１３４は２つの領域に分割されており、画像データが領域Ａ，Ｂに順番に記憶され、記憶された画像データはビデオエンコーダ１１８やメディアコントローラ１２５に順次に読み出される。
【００３４】
ＡＥ＆ＡＷＢ検出部１３２は、画像入力コントローラ１１６から送られてきた低解像度データに基づいて、被写体の明るさやホワイトバランスを検出する。測定結果はＣＰＵ１３０に伝えられる。
【００３５】
ＡＦ検出部１３１は、画像入力コントローラ１１６から送られてきた低解像度データに基づいて、撮影画像のコントラストを検出する。検出されたコントラストはＣＰＵ１３０に送られる。
【００３６】
ＣＰＵ１３０は、図３に示す各種スイッチで設定された設定内容が伝えられ、その設定内容に応じて図３に示すデジタルカメラ１００の各種要素を制御する。また、ＣＰＵ１３０は、ＡＥ＆ＡＷＢ検出部１３２で測定された被写体の明るさに基づいてシャッタスピードや絞り値を決定するとともに、ＡＦ検出部１３１で検出されたコントラストに基づいて、光学部材１２１に含まれるフォーカスレンズの合焦位置を決定する。ＣＰＵ１３０は、本発明の撮影装置におけるデータ制御部、および記録制御部それぞれの一例にあたり、ＡＦ検出部１３１とＣＰＵ１３０とを合わせたものは、本発明の撮影装置における合焦状態検出部の一例に相当する。また、ＣＰＵ１３０と各種スイッチとを合わせたものは、本発明の撮影装置における指示受付部の一例に相当する。
【００３７】
本撮影時に生成されてＳＤＲＡＭ１３３に記憶された撮影画像データは、ＣＰＵ１３０からの指示に従って、画像信号処理部１２７によって取得される。画像信号処理部１２７は、撮影画像データにＲＧＢレベルの調節処理、ガンマ調整処理などを施して、画像処理後の撮影画像データを圧縮処理部１２８に送る。圧縮処理部１２８は、撮影画像データに圧縮処理を施して、圧縮後の撮影画像データをＶＲＡＭ１３４に送る。ビデオエンコーダ１２９は、ＣＰＵ１３０からの指示に従い、ＶＲＡＭ１３４から圧縮後の撮影画像データを取得して、その圧縮後の撮影画像データを表示パネル１０６で表示することができるデータの形式に変換する。変換後の撮影画像データは、表示装置１５０に送られる。表示装置１５０は、撮影画像データが表す撮影画像を液晶パネル１０６に表示する。また、表示装置１５０は、ＣＰＵ１３０からの指示に従って、メニュー画面や、撮影残枚数なども液晶パネル１０６に表示する。この表示装置１５０と液晶パネル１０６とを合わせたものは、本発明の撮影装置における枚数表示部の一例にあたり、表示装置１５０と液晶パネル１０６とＣＰＵ１３０とを合わせたものは、本発明の撮影装置における通知部の一例に相当する。メディアコントローラ１３５は、記録メディア１４１への撮影画像データの記録や読み出しを制御する。メディアコントローラ１３５と、図２に示する記録メディア装填室１１６ａとを合わせたものは、本発明の撮影装置におけるデータ記録部の一例にあたり、メディアコントローラ１３５とＣＰＵ１３０とを合わせたものは、本発明の撮影装置における判定部の一例に相当する。また、デジタルカメラ１００には、ＵＳＢコネクタ１０４を介してパーソナルコンピュータなどが接続されるＵＳＢドライバ１６０も備えられている。
【００３８】
本実施形態のデジタルカメラ１００は、基本的には以上のように構成されている。
【００３９】
ここで、デジタルカメラ１００における、本発明の一実施形態としての特徴は、本撮影時に生成された撮影画像データを記録メディア１４１に記録する際の処理にある。
【００４０】
図４は、被写体を撮影して撮影画像データを生成し、その撮影画像データを記録メディア１４１に記録する一連の処理を示すフローチャートである。
【００４１】
図４に示すフローチャートの処理は、撮影者が図１に示す電源ボタン１０１を押下し、図３に示す電源スイッチ１７１が入ることによってその実行が開始される。
【００４２】
撮影者によって図１の電源ボタン１０１が押下されると、図３の電源スイッチ１７１が入って、デジタルカメラ１００に電源が投入される。
【００４３】
電源が投入されると、ＣＰＵ１３０からの指示に従って、メディアコントローラ１３５は、デジタルカメラ１００に装填されている記録メディア１４１の種類と残容量とを取得する。ＣＰＵ１３０は、メディアコントローラ１３５から伝えられた残容量と、ＣＣＤ１２２の画素数などに基づいて、本撮影を行って生成される撮影画像データを記録メディア１４１に新たに記録することができるか否かを判定する（図４のステップＳ１１）。
【００４４】
記録メディア１４１に残容量がなく、新たに撮影画像データを記録することができないと判定された場合には（図４のステップＳ１１：Ｎｏ）、ＣＰＵ１３０は表示装置１５０に記録メディア１４１に残容量がないことを伝え、表示装置１５０は、液晶パネル１０６に「メモリ残量なし」というメッセージを表示する（図４のステップＳ１７）。
【００４５】
ユーザが液晶パネル１０６に表示されたメッセージを確認して、図２の記録メディア装填室１１６ａに装填されている記録メディア１４１を交換すると（図４のステップＳ１８：Ｙｅｓ）、記録メディア１４１が装填されたことが図３のメディアコントローラ１３５からＣＰＵ１３０に伝えられ、新たに装填された記録メディア１４１の残容量や種類が取得される（図４のステップＳ１１）。
【００４６】
また、ユーザによって記録メディア１４１が交換されず（図４のステップＳ１８：Ｎｏ）、図１の電源ボタン１０１が押下されたときには、図３の電源スイッチ１７１が切られて、デジタルカメラ１００の電源が切られる（図４のステップＳ１９）。
【００４７】
このように、記録メディア１４１に新たに撮影画像データを記録することができない場合には、撮影画像データを取得する前に通知することによって、撮影者が撮影を行ってしまったのに、撮影画像データを記録メディア１４１に記録することができないという不都合を回避することができる。
【００４８】
記録メディア１４１に残容量があり、新たに撮影画像データを記録することができると判定された場合には（図４のステップＳ１１：Ｙｅｓ）、ＣＣＤ１２２において、タイミングジェネレータ１２３から発せられる信号に同期したタイミングごとに、被写体光が粗く読み取られて被写体信号が生成される。生成された被写体信号は、ＣＤＳ−ＡＭＰ１２４に送られて増幅およびゲインの調整が施され、Ａ／Ｄ変換部１２５に送られて、低解像度データに変換される。
【００４９】
このとき、撮影者が、図２の液晶起動ボタン１０６ａを押下すると、デジタルカメラ１００の内部では、画像表示スイッチ１７７が入って、Ａ／Ｄ変換部１２５で生成された低解像度データが画像入力コントローラ１２６を介して画像信号処理部１２７に送られる。低解像度データは画像信号処理部１２７で画像処理が施され、ビデオエンコーダ１２９に送られて、液晶パネル１０６で表示可能なデータ形式に変換される。変換後の低解像度データは表示装置１５０に送られ、表示装置１５０によって、液晶パネル１０６にスルー画像が表示される。
【００５０】
また、Ａ／Ｄ変換部１２５で生成された低解像度データは、画像入力コントローラ１２６を介してＡＥ＆ＡＷＢ検出部１３２やＡＦ検出部１３１にも送られる。
【００５１】
ＡＥ＆ＡＷＢ検出部１３２では、低解像度データに基づいて被写体の明るさが検出され、その明るさの情報がＣＰＵ１３０に伝えられる。ＣＰＵ１３０では、ＡＥ＆ＡＷＢ検出部１３２で検出された明るさの情報に基づき、シャッタスピードと絞り値が決定される。
【００５２】
また、ＡＦ検出部１３１では、光学部材１２１内のフォーカスレンズが光軸方向に所定範囲内で駆動され、フォーカスレンズが駆動している間に生成された低解像度データに基づいて、被写体のコントラストが検出される。通常、光学部材１２１が合焦位置に近づくほどコントラストが大きくなるため、フォーカスレンズが駆動している間に検出されるコントラストは山なりの変化を示す。検出されたコントラストはＣＰＵ１３０に送られる。
【００５３】
ＣＰＵ１３０では、ＡＦ検出部１３１から送られてきたコントラストの山なりのピーク値が判定され、そのピーク値におけるフォーカスレンズのレンズ位置（合焦位置）がフォーカスレンズの駆動位置に決定される。また、駆動範囲内でフォーカスレンズを駆動しても、コントラストのピークが取得されなかったときには、予め決められたパンフォーカス位置がフォーカスレンズの駆動位置に決定される（図４のステップＳ１２）。
【００５４】
ＣＰＵ１３０は、モータドライバ１２１ａにフォーカスレンズの駆動位置の情報を伝え、モータドライバ１２１ａは、光学部材１２１内のフォーカスレンズを駆動位置に移動させる。
【００５５】
また、撮影者が図２に示す十字キー１０７を使ってメニュー画面の表示を指定すると、デジタルカメラ１００の内部では、ＳＲＡＭ１３６に予め記憶されたメニュー画面用のデータが表示装置１５０に送られ、液晶パネル１０６にメニュー画面が表示される。撮影者は、このメニュー画面に従い、撮影画像の画素数、撮影画像データの圧縮率、撮影モードなどを指定する。
【００５６】
デジタルカメラ１００の内部では、撮影者によって指定された内容が選択ダイヤル１７６などで設定されてＣＰＵ１３０に伝えられる。ＳＲＡＭ１３６には、撮影者によって前回指定された指定内容が記憶されており、ＣＰＵ１３０は、今回の指定内容を前回の指定内容の上に上書きする。また、撮影者による各種指定作業が省かれた場合には、ＣＰＵ１３０は、ＳＲＡＭ１３６に記憶された前回の指定内容を取得し、その指定内容を今回の指定内容として使用する。ＣＰＵ１３０は、撮影画像の画素数、撮影画像データの圧縮率、記録メディア１４１の残容量に基づいて、撮影残枚数を算出する。
【００５７】
ここで、撮影者が図１に示すシャッタボタン１１１を押下すると、図３に示すシャッタスイッチ１７２が入って、撮影画像データの取得が開始される（図４のステップＳ１３）。すなわち、ＣＣＤ１２２で受光された被写体光に基づいて被写体信号が生成され、被写体信号がＣＤＳ−ＡＭＰ１２４、およびＡ／Ｄ変換部１２５を経て、指定された画素数に応じた解像度の撮影画像データに変換される。撮影画像データは、画像入力コントローラ１２６を介してＳＤＲＡＭ１３３に一旦記憶される。ＳＤＲＡＭ１３３に記憶された撮影画像データは、画像信号処理部１２７に読み出されて、所定の画像処理が施され、圧縮処理部１２８に送られる。圧縮処理部１２８では、撮影画像データが指定された圧縮率で圧縮され、圧縮後の撮影画像データがＶＲＡＭ１３４に記憶される。
【００５８】
ここで、メディアコントローラ１３５からＣＰＵ１３０に伝えられた記録メディア１４１の種類が上書き可能なリユーザブルメモリの場合には（図４のステップＳ１４：Ｎｏ）、ＶＲＡＭ１３４に記憶された圧縮後の撮影画像データが、メディアコントローラ１３５を介して、記録メディア１４１に記録される（図４のステップＳ１６）。
【００５９】
また、記録メディア１４１の種類が一度のみ書き込み可能なワンタイムメモリの場合には（図４のステップＳ１４：Ｙｅｓ）、ＣＰＵ１３０からの指示に従って、表示装置１５０は、液晶パネル１０６に記録メディア１４１がワンタイムメモリであることを示す通知を表示する（図４のステップＳ１５）。
【００６０】
図５は、通知が表示された液晶パネル１０６を示す図である。
【００６１】
図５（Ａ）では、液晶パネル１０６に、撮影画像とともに、その撮影画像が未だ記録されていない画像であることを示す未記録マーク２０１、指定された画素数２０２、撮影モードを表わすモードマーク２０３、撮影残枚数２０４、記録メディア１４１がワンタイムメモリであることを示すワンタイムメモリマーク２０５が表示されている。撮影者は、このワンタイムメモリマーク２０５を確認することによって、記録メディア１４１に撮影画像データを記録すると、その撮影画像データを消去することができないことを認識することができる。
【００６２】
また、図５（Ｂ）には、ワンタイムメモリマーク２０５が表示されていないが、撮影残枚数２０４が、記録メディア１４１がリユーザブルメモリの場合とは異なる色で表示されている。このように、撮影残枚数２０４を表示する色を変えることによっても、撮影者に記録メディア１４１がワンタイムメモリであることを通知することができる。
【００６３】
撮影者が液晶パネル１０６に表示された撮影画像とワンタイムメモリマーク２０５とを確認し、その撮影画像を記録するために図２に示すＯＫボタン１０８を押下すると、デジタルカメラ１００の内部では、図３のＯＫスイッチ１７３が入って、ＶＲＡＭ１３４に記憶された圧縮後の撮影画像データが、メディアコントローラ１３５を介してワンタイムメモリである記録メディア１４１に記録される（図４のステップＳ１６）。
【００６４】
撮影画像データが記録された後で、撮影者が十字キー１０７を使って、記録メディア１４１に記録された撮影画像の表示を指定すると、選択ダイヤル１７６によって指定内容がＣＰＵ１３０に伝えられ、記録メディア１４１に記録された撮影画像データがメディアコントローラ１３５を介してビデオエンコーダ１２９に送られ、さらに表示装置１５０に送られる。表示装置１５０では、液晶パネル１０６に撮影画像データに基づく撮影画像が表示される。
【００６５】
図６は、液晶パネル１０６に表示された撮影画像を示す図である。
【００６６】
撮影者が図２に示す十字キー１０７などを押すと、撮影画像の上に、撮影画像の消去を指定するためのポップアップメニュー２０１が表示される。記録メディア１４１がワンタイムメモリの場合には、ポップアップメニュー２０１のコマ指定部分がグレーアウト表示され、消去する撮影画像を選択することができない。
【００６７】
また、記録メディア１４１がワンタイムメモリであることが通知されたステップＳ１５において、撮影者によってＯＫスイッチ１７３以外のボタンが押されたときには、ＶＲＡＭ１３４に記憶された圧縮後の撮影画像データが記録メディア１４１に記録されずに破棄される。
【００６８】
以上のような一連の処理が、撮影者によって図１の電源ボタン１０１が押され、デジタルカメラ１００の電源が切られるまで繰り返される（図４のステップＳ１９）。
【００６９】
このように、本実施形態のデジタルカメラ１００によると、ワンタイムメモリが装填されている場合には、撮影画像データが記録される前に、撮影画像データを記録すると消去することができないことが通知されるため、無駄な撮影画像データをワンタイムメモリに記録してしまう不具合を未然に防ぐことができる。
【００７０】
以上で、本発明の第１実施形態の説明を終了し、続いて、本発明の第２実施形態について説明する。第２実施形態のデジタルカメラでは、装填されている記録メディアがリユーザブルメモリの場合であっても、撮影画像データを記録するか否かを確認する「記録確認モード」が備えられている点が第１実施形態とは異なる。第１実施形態のデジタルカメラ１００と第２実施形態のデジタルカメラは、ほぼ同じ構成を有するため、図１、図２、および図３を第２実施形態の図として転用し、第１実施形態との相違点についてのみ説明する。
【００７１】
図７は、第２実施形態のデジタルカメラで被写体を撮影して撮影画像データを生成し、その撮影画像データを記録メディア１４１に記録する一連の処理を示すフローチャートである。本実施形態においては、撮影画像データが生成されるごとに、その撮影画像データを記録するか否かを指定する記録確認モードと、撮影画像データの記録／破棄を指定せずに、撮影画像データを記録メディア１４１に記録する非記録確認モードの２つの記録モードが搭載されている。
【００７２】
図７に示すフローチャートの処理も、図４に示す第１実施形態での処理と同様に、撮影者が電源ボタン１０１を押下して、電源スイッチ１７１がＯＮされることによって、その実行が開始される。
【００７３】
電源が投入されると、図４のステップＳ１１と同様にして、デジタルカメラ１００に装填されている記録メディア１４１に、撮影画像データを新たに記録することができるか否かが判定される（図７のステップＳ２１１）。
【００７４】
記録メディア１４１に新たに撮影画像データを記録することができないと判定された場合には（図７のステップＳ２１１：Ｎｏ）、図４のステップＳ１７と同様にして、液晶パネル１０６に「メモリ残量なし」というメッセージが表示される（図７のステップＳ２２１）。ユーザによって記録メディア１４１が交換されると（図７のステップＳ２２２：Ｙｅｓ）、図７のフローチャートでは、ステップＳ２１１に戻って処理が行われる。
【００７５】
また、記録メディア１４１が交換されず（図７のステップＳ２２２：Ｎｏ）、図１の電源ボタン１０１が押下されたときには、デジタルカメラ１００の電源が切られて（図７のステップＳ２２３）、撮影が中止される。
【００７６】
記録メディア１４１に残容量があり、新たに撮影画像データを記録することができると判定された場合には（図７のステップＳ２１１：Ｙｅｓ）、ＣＣＤ１２２によって被写体光が粗く読み取られ、図４のステップＳ１２と同様に、低解像度データに基づいてＡＦ、およびＡＥ検出処理が実行される（図７のステップＳ２１２）。
【００７７】
また、本実施形態においては、撮影画像データを取得する前に、第１実施形態と同様な、撮影画像の画素数、撮影画像データの圧縮率、撮影モードに加えて、記録確認モードと非記録確認モードとのいずれかの記録モードが選択される。ＳＲＡＭ１３６には、撮影者によって前回指定された指定内容が記憶されており、これらの各種項目の選択が省略されたときには、ＣＰＵ１３０では、ＳＲＡＭ１３６に記憶された前回の指定内容が取得されて使用される。
【００７８】
撮影者が図１に示すシャッタボタン１１１を押下すると、図３に示すシャッタスイッチ１７２が入り、図４のステップＳ１３と同様にして、撮影画像データが生成される（図７のステップＳ２１３）。生成された撮影画像データは、第１実施形態と同様にして、画像処理や圧縮処理が施された後、ＶＲＡＭ１３４に送られる。
【００７９】
ＣＰＵ１３０で取得された記録モードが記録確認モードの場合（図７のステップＳ２１４：Ｙｅｓ）、記録メディア１４１がワンタイムメモリかリユーザブルメモリかに関わらず、表示装置１５０によって、ＳＲＡＭ１３６に予め用意された記録設定画面用データが取得され、液晶パネル１０６に記録設定画面が表示される（図７のステップ２１５）。
【００８０】
図８は、液晶パネル１０６に表示された記録設定画面を示す図である。
【００８１】
液晶パネル１０６には、撮影画像とともに、その撮影画像の記録を指示するＯＫボタン２２１、撮影画像の破棄を指示するＢＡＣＫボタン２２２とが表示される。
【００８２】
撮影者がＯＫボタン２２１を選択して、撮影画像の記録を指示したときには（図７のステップＳ２１６：Ｙｅｓ）、ＶＲＡＭ１３４に記憶された圧縮後の撮影画像データが、メディアコントローラ１３５を介して記録メディア１４１に記録される（図７のステップＳ２１７）。
【００８３】
また、撮影者がＢＡＣＫボタン２２２を選択して、撮影画像の破棄を指示したときには（図７のステップＳ２１６：Ｎｏ）、ＶＲＡＭ１３４に記憶された圧縮後の撮影画像データが記録メディア１４１に記録されずに破棄される（図７のステップＳ２１８）。
【００８４】
このように、撮影画像データを記録メディア１４１に記録する前に、撮影者が撮影画像データを記録するか、破棄するかを指定することによって、必要な撮影画像データのみを記録メディア１４１に記録することができる。
【００８５】
ここで、ＣＰＵ１３０に伝えられた記録モードが非記録確認モードの場合（図７のステップＳ２１４：Ｎｏ）、ＣＰＵ１３０によって、記録メディア１４１がワンタイムメモリかリユーザブルメモリかが判定される（図７のステップＳ２１９）。
【００８６】
記録メディア１４１がリユーザブルメモリの場合には（図７のステップＳ２１９：Ｎｏ）、撮影者による撮影画像の記録／破棄の指定が行われずに、ＶＲＡＭ１３４に記憶された圧縮後の撮影画像データが、メディアコントローラ１３５を介して記録メディア１４１に記録される（図７のステップＳ２２０）。リユーザブルメモリは、確認せずに撮影画像データを記録してしまっても、記録した撮影画像データを後で消去することができる。
【００８７】
また、記録メディア１４１がワンタイムメモリの場合には（図７のステップＳ２１９：Ｙｅｓ）、記録モードが非記録確認モードであっても、液晶パネル１０６に記録設定画面が表示されて（図７のステップＳ２１５）、撮影者による撮影画像の記録／破棄の指定（図７のステップＳ２１６）が行われ、指定内容に応じて撮影画像の記録（図７のステップＳ２１７）、破棄（図７のステップＳ２１８）が実行される。ワンタイムメモリの場合は、撮影画像データを記録してしまうと、その撮影画像データを消去することができないため、記録モードに関わらず、記録前に記録／破棄を逐一確認することが好ましい。
【００８８】
以上のような一連の処理が、撮影終了まで繰り返される（図７のステップＳ２２３）。
【００８９】
このように、記録メディア１４１がワンタイムメモリの場合には、撮影画像データが記録されるごとに、その撮影画像データを記録するか、破棄するかを逐一選択することによって、不必要な撮影画像データを記録メディア１４１に記録してしまう不具合を確実に防止することができる。
【００９０】
以上で、本発明の第２実施形態の説明を終了し、次に、本発明の第３実施形態について説明する。第３実施形態のデジタルカメラは、合焦位置の検出結果に応じて、撮影画像データの記録／破棄が決定される点が第１実施形態および第２実施形態とは異なる。本実施形態のデジタルカメラも、第１実施形態、および第２実施形態のデジタルカメラとほぼ同じ構成を有するため、図１、図２、および図３を第２実施形態の図としてここでも転用し、第１実施形態、および第２実施形態との相違点についてのみ説明する。また、本実施形態のデジタルカメラにおいて、撮影画像データが取得されるまでの一連の処理は、第２実施形態の撮影システムとほぼ同様であるため、図９については、同じ処理には同じ符号を付して説明を省略する。
【００９１】
図９は、第３実施形態のデジタルカメラで被写体を撮影して撮影画像データを生成し、その撮影画像データを記録メディア１４１に記録する一連の処理を示すフローチャートである。
【００９２】
図９に示すフローチャートの処理も、撮影者が、図１に示す電源ボタン１０１を押下することによって、その実行が開始される。
【００９３】
デジタルカメラ１００に電源が投入されると、記録メディア１４１の残撮影枚数が判定される（図９のステップＳ２１１）。
【００９４】
記録メディア１４１に新たに撮影画像データを記録することができない場合には（図９のステップＳ２１１：Ｎｏ）、液晶パネル１０６に「メモリ残量なし」というメッセージが表示され（図９のステップＳ２２１）、ユーザによって記録メディア１４１が交換されると（図９のステップＳ２２２：Ｙｅｓ）、上記の処理が再実行される。
【００９５】
また、記録メディア１４１が交換されず（図９のステップＳ２２２：Ｎｏ）、デジタルカメラ１００の電源が切られると（図９のステップＳ２２６：Ｙｅｓ）、撮影が中止される。
【００９６】
記録メディア１４１に新たに撮影画像データを記録することができる場合には（図９のステップＳ２１１：Ｙｅｓ）、低解像度データが生成され、ＡＦ、およびＡＥ検出処理が実行される（図９のステップＳ２１２）。
【００９７】
また、シャッタボタン１１１の押下によって、図３に示すシャッタスイッチ１７２が入ると、撮影画像データが生成される（図９のステップＳ２１３）。
【００９８】
記録モードが記録確認モードの場合（図９のステップＳ２１４：Ｙｅｓ）、記録メディア１４１がワンタイムメモリかリユーザブルメモリかに関わらず、液晶パネル１０６に記録設定画面が表示される（図９のステップ２１５）。
【００９９】
撮影者が図８に示すＯＫボタン２２１を選択して、撮影画像の記録を指示すると（図９のステップＳ２１６：Ｙｅｓ）、ＶＲＡＭ１３４に記憶された圧縮後の撮影画像データが、メディアコントローラ１３５を介して記録メディア１４１に記録される（図９のステップＳ２１７）。
【０１００】
また、図８の撮影者がＢＡＣＫボタン２２２を選択すると（図９のステップＳ２１６：Ｎｏ）、ＶＲＡＭ１３４に記憶された圧縮後の撮影画像データが記録メディア１４１に記録されずに破棄される（図９のステップＳ２１８）。
【０１０１】
ここで、ＣＰＵ１３０で取得された記録モードが非記録確認モードの場合（図９のステップＳ２１４：Ｎｏ）、記録メディア１４１がワンタイムメモリかリユーザブルメモリかが判定され（図９のステップＳ２１９）、記録メディア１４１がリユーザブルメモリの場合には（図９のステップＳ２１９：Ｎｏ）、撮影者による撮影画像の記録／破棄の指定が行われずに、ＶＲＡＭ１３４に記憶された圧縮後の撮影画像データが記録メディア１４１に記録される（図９のステップＳ２２０）。
【０１０２】
また、記録メディア１４１がワンタイムメモリの場合には（図９のステップＳ２１９：Ｙｅｓ）、フォーカスレンズが被写体にピントが合う合焦位置に移動された状態で本撮影が行われたか否かが判定される（図９のステップＳ２３１）。ステップＳ２１２では、フォーカスレンズが光軸方向に移動されている間に生成された低解像度データに基づいて、ＡＦ検出部１３１によって被写体のコントラストが検知され、さらに、ＣＰＵ１３０において、ＡＦ検出部１３１から送られてきたコントラストの山なりのピーク値が判定されて、そのピーク値におけるフォーカスレンズのレンズ位置（合焦位置）が駆動位置に決定される。しかし、駆動範囲内でフォーカスレンズを駆動しても、コントラストのピークが取得されなかったときには、予め決められたパンフォーカス位置が駆動位置に決定される。図９のステップＳ２３１では、ＣＰＵ１２０において、合焦位置が駆動位置に決定されたか否かが判定される。フォーカスレンズの合焦位置が駆動位置と判定されたときには（図９のステップＳ２３１：Ｙｅｓ）、フォーカスレンズが被写体にピントが合う合焦位置に移動されて撮影画像データが生成されるため、その撮影画像データが表わす撮影画像は、ピンボケなどが生じていない高画質な画像であることが多い。したがって、ワンタイムメモリであっても、撮影者による記録／破棄の選択が行われずに、ＶＲＡＭ１３４に記憶された圧縮後の撮影画像データが記録メディア１４１に記録される（図９のステップＳ２２０）。
【０１０３】
また、コントラストのピーク値が決定されず、パンフォーカス位置が駆動位置と判定されたときには（図９のステップＳ２３１：Ｎｏ）、撮影画像データが表わす撮影画像にピンボケなどが生じていることがあるため、記録モードが非記録確認モードであっても、液晶パネル１０６に記録設定画面が表示されて（図９のステップＳ２１５）、撮影者による撮影画像の記録／破棄の指定が行われ（図９のステップＳ２１６）、その指定結果に応じて、撮影画像データの記録（図９のステップＳ２１７）、撮影画像データの破棄（図９のステップＳ２１８）が行われる。
【０１０４】
以上のような一連の処理が、撮影終了まで繰り返される（図９のステップＳ２２６）。
【０１０５】
このように、合焦位置が検出されなかった場合にのみ、撮影画像データの記録／破棄を選択することによって、撮影者が選択する手間を省き、高画質な撮影画像のみをワンタイムメモリに記録することができる。
【０１０６】
ここで、上記では、固体撮像素子で読み取られた被写体像に基づく撮影画像データを記録するデジタルカメラについて説明したが、本発明の撮影装置は、被写体のコントラストに基づいて合焦位置を決定する合焦状態検出部を備えたものであれば、カメラ付き携帯電話や、デジタルカメラと銀塩カメラとの複合機などであってもよい。
【０１０７】
また、近年では、容器に収容された液体に電圧を印加し、その液面の形状等を変化させることによって光の屈折率を調節する液体レンズが開発されている。上記では、本発明にいう光学部材として通常のレンズを用いる例について説明したが、本発明にいう光学部材は、液体レンズなどであってもよい。この場合、光学部材が液体レンズなどの場合には、本発明にいう「光学部材の駆動」とは、通常のレンズを光軸方向に移動させるのと等価な作用を行わせるように、液体に電圧を印加する作業などをいう。
【０１０８】
また、上記では、装填されている記録媒体が一度のみ書込み可能な第１の記録媒体の場合に、表示画面を使って撮影者に通知する通知部を備えた例について説明したが、本発明にいう通知部は、例えば、音声などによって通知するものであってもよい。
【図面の簡単な説明】
【０１０９】
【図１】本発明の一実施形態が適用されたデジタルカメラの正面図である。
【図２】本発明の一実施形態が適用されたデジタルカメラの下面図である。
【図３】デジタルカメラ１００の内部ブロック図である。
【図４】被写体を撮影して撮影画像データを生成し、その撮影画像データを記録メディア１４１に記録する一連の処理を示すフローチャートである。
【図５】液晶パネル１０６に表示された通知を示す図である。
【図６】液晶パネル１０６に表示された撮影画像を示す図である。
【図７】第２実施形態のデジタルカメラにおいて、合焦位置検出後に本撮影を行う一連の処理を示すフローチャートである。
【図８】表示装置に表示された記録設定画面を示す図である。
【図９】第３実施形態のデジタルカメラにおいて、合焦位置検出後に本撮影を行う一連の処理を示すフローチャートである。
【符号の説明】
【０１１０】
１００    デジタルカメラ
１０１    レンズ鏡胴
１０１ａ    撮影レンズ
１０２    ファインダ対物窓
１０３    閃光発光窓
１０４    メインスイッチ
１０５    ファインダ接眼窓
１０６    液晶パネル
１０６ａ    表示装置起動ボタン
１１１    シャッタボタン
１１２    ＡＥ受光窓
１１６    蓋
１１６ａ    記録メディア装填室
１１６ｂ    バッテリ装填室
１２１    光学部材
１２１ａ    モータドライバ
１２２    ＣＣＤ
１２３    タイミングジェネレータ
１２４    ＣＤＳ−ＡＭＰ
１２５    Ａ／Ｄ変換部１２５
１２６    画像入力コントローラ
１２７    画像信号処理部
１２８    圧縮処理部
１２９    ビデオエンコーダ
１３０    ＣＰＵ
１３１    ＡＦ検出部
１３２    ＡＥ＆ＡＷＢ検出部
１３３    ＳＤＲＡＭ
１３４    ＶＲＡＭ
１３５    メディアコントローラ
１３６    ＳＲＡＭ
１４２    バックアップ電源
１５０    表示装置
【図１】
2006148433.tif 000003
【図２】
2006148433.tif 000004
【図３】
2006148433.tif 000005
【図４】
2006148433.tif 000006
【図５】
2006148433.tif 000007
【図６】
2006148433.tif 000008
【図７】
2006148433.tif 000009
【図８】
2006148433.tif 000010
【図９】
2006148433.tif 000011